(57)【要約】【課題】補強板などを利用した補強手法を用いることなく、低コストで簡単に、ジャック部の負荷を軽減させることが可能なジャック付き機器を提供する。【解決手段】ジャック３にエルボ形プラグ５を接続する場合、ジャックカバー１は、弾力性のある軟質部１１を有することによって、薄肉のヒンジ部１１ｂで自由に折り曲げることが可能であり、ジャック３を露出させることができる。ジャックカバー１の硬質部１２の筐体当接面１２ａを、筐体２のジャックカバー当接凹部２ａに挿入して、ジャックカバー１を保持する。次に、ジャック３にエルボ形プラグ５を挿入する。この時、エルボ形プラグ５の保持箇所５ａがジャックカバー１の硬質部１２のプラグ保持凹部１２ｂにて保持されることによって、ジャックカバー１でエルボ形プラグ５を支えることが可能となる。【選択図】　　　図１
2004127735.tif 000002
【特許請求の範囲】
【請求項１】
筐体にプラグ挿入用のジャックを設けたジャック付き機器において、
前記ジャックの栓をするジャックカバーを前記筐体にヒンジ結合するとともに、このジャックカバーは、起立状態でエルボ形プラグの支えとして使用できるようにしたことを特徴とするジャック付き機器。
【請求項２】
前記ジャックカバーに薄肉部を設けることにより、前記ヒンジ結合を形成したことを特徴とする請求項１に記載のジャック付き機器。
【請求項３】
前記ジャックカバーを、前記筐体に対し脱落不能、且つ回動可能に係合させることにより、前記ヒンジ結合を形成したことを特徴とする請求項１に記載のジャック付き機器。
【発明の詳細な説明】
【０００１】
【発明の属する技術分野】
本発明は、筐体にプラグ挿入用のジャックを設けたジャック付き機器に関する。
【０００２】
【従来の技術】
携帯機器やオーディオ機器、ビジュアル機器、コンピュータ機器等において、イヤホンやヘッドホンを接続して会話や音楽等を聴く場合がある。これらの機器には、イヤホンやヘッドホンのプラグを挿入するためのジャックが備えられている。ジャックには、ゴミ等が侵入するのを防止したり、デザインを損なわないようにしたりする理由で、ジャックカバーが取り付けられることがある。例えば、図８に示す携帯電話Ｐに付設されるジャックカバー１のような場合である。
【０００３】
図９は、従来のジャック付き機器のプラグ未接続時の部分断面側面図である。図中２は、機器の筐体を示している。この筐体２に、機器が持つ機能を実現するための回路基板４が内蔵され、更にジャック３が回路基板４に実装されて、回路基板４に設けた配線パターン（図示せず）と電気的に接続されている。
【０００４】
ジャック３は、その先端にプラグを接続する入口部３１が設けられ、筐体２には、ジャック３先端の入口部３１を受け入れる透孔２２が設けられている。また、筐体２には、ジャックカバー１を挟み込むための係合孔２１が設けられている。ジャックカバー１は、その全てが、ゴム等の軟質で弾力性のある材料で構成され、薄肉のヒンジ部１ｃを設けることで、自由に折り曲げることが可能である。ヒンジ部１ｃが伸びた状態では、ジャックカバー１に設けられた突起１ｆが、筐体２の透孔２２に弾力的に嵌合することにより、ジャック３が栓をされたことになる。ジャック３の栓をする側の反対側の端部１ｅは、筐体２の係合孔２１を通じて筐体２の中に入り込み、ジャックカバー１が二つ割りの筐体２によって挟み込まれたり、端部１ｅの幅が係合孔２１の幅より広かったり、端部１ｅが筐体２に接着されたりすることによって、筐体２から脱落できないようになっている。また、ジャックカバー１の、ジャック３の栓をする側の先端に凸部１ｄを設け、ここに指を掛けることでジャックカバー１の開閉が可能である。
【０００５】
図１０は、図９に示すジャック付き機器のプラグ接続時の部分断面側面図である。ジャック３にエルボ形プラグ５を接続する場合、ジャックカバー１を折り曲げるようにしてジャック３を開放する。また、ジャックカバー１は、ジャック３の栓をする側の反対側の端部１ｅが筐体２に係合されているので、図のように折り曲げても、筐体２から脱落してしまうことはない。
【０００６】
上記のようなジャックとジャックカバーの構造においては、使用者がイヤホン等のプラグをジャックに接続するときに必要以上に負荷がかかったり、イヤホン等を接続した状態で誤って落下させるなどしたときに衝撃が加わったりすることによるジャック部の破損が問題となっている。これに対し、ジャックのプラグ挿入孔付近に補強板を取り付けたり（特許文献１参照）、ジャックと嵌合する取付部材を回路基板にビス止めしたり（特許文献２参照）、部品に補強突起を取り付けて回路基板のスルーホールへ挿入する実装としたり（特許文献３参照）するなどして強度を確保する手法が提案されている。
【０００７】
【特許文献１】
特開平１０−１７２６７６号公報
【特許文献２】
特開平５−８９６５１号公報
【特許文献３】
実開平６−３８２７２号公報
【０００８】
【発明が解決しようとする課題】
上記の特許文献記載のようなジャック部の補強手法では、ジャックの回路基板への結合に、補強板や取付部材、補強突起を使用しており、これにより、実装スペースが広く占有され、コストもかかる。また、組立てや取付けのための労力や作業時間を多く必要とし、さらにコストがかさむという問題が生じる。
【０００９】
本発明は上記の点に鑑みなされたものであり、プラグが接続されるジャック部において、ジャックに対して従来のような補強手法を用いることなく、低コストで簡単に、ジャック部の負荷を軽減させることが可能なジャック付き機器を提供することを目的とする。
【００１０】
【課題を解決するための手段】
上記の課題を解決するため、筐体にプラグ挿入用のジャックを設けたジャック付き機器において、前記ジャックの栓をするジャックカバーを前記筐体にヒンジ結合するとともに、このジャックカバーは、起立状態でエルボ形プラグの支えとして使用できるようにした。
【００１１】
この構成によれば、製造する上での材料やプロセスを別途必要とせず、ジャックの栓をするジャックカバーのみを使用するだけで、エルボ形プラグを支えることができる。
【００１２】
また、前記ジャックカバーに薄肉部を設けることにより、前記ヒンジ結合を形成した。
【００１３】
この構成によれば、例えば、ゴムのような軟質で弾力性のある材料にて形成することにより、通常の蝶番のようなスリーピース構造とすることなく、ワンピース構造でヒンジ結合を形成することができる。
【００１４】
また、前記ジャックカバーを、前記筐体に対し脱落不能、且つ回動可能に係合させることにより、前記ヒンジ結合を形成した。
【００１５】
この構成によれば、筐体に対するジャックカバーの取付構造を工夫することによりヒンジ結合を形成することができる。また、ジャックカバーの材料が軟質な材料に限定されることもない。
【００１６】
【発明の実施の形態】
以下、本発明の実施形態を図に基づき説明する。
【００１７】
本発明の第１の実施形態に係るジャック付き機器を、図１から図５に示す。図１は、第１の実施形態に係るジャック付き機器のプラグ接続時の部分断面側面図である。図２は、図１に示すジャック付き機器の部分正面図である。図３は、図１に示すジャック付き機器の部分断面上面図である。図４は、第１の実施形態に係るジャック付き機器のプラグ未接続時の部分断面側面図である。図５は、図４に示すジャック付き機器の部分正面図である。
【００１８】
図４において、機器は、ジャックカバー１と、筐体２と、ジャック３と、回路基板４を有し、構成の概要は前記従来のジャック付き機器と同様である。従来のジャック付き機器と異なる点として、ジャックカバー１は、ゴム等の軟質で弾力性のある材料が使用された軟質部１１と、ＡＢＳ樹脂等の硬質な材料が使用された硬質部１２を、一体化して構成されている。そして、ジャックカバー１は、薄肉のヒンジ部１１ｂで自由に折り曲げることが可能である。また、ジャック３の栓をする側の反対側は、端部１１ａで筐体２から脱落しないように筐体２に係合されている。ジャックカバー１の硬質部１２は、筐体当接面１２ａとプラグ保持凹部１２ｂを有し、これらはジャックカバー１にてエルボ形プラグを支えるときに使用される。
【００１９】
筐体２は、ジャックカバー１を開放したときに、ジャック３が筐体外部へ露出されるようになっており、また、ジャックカバー１を保持するためのジャックカバー当接凹部２ａを有する。
【００２０】
図５において、ジャックカバー１は、ジャック３を保護するように筐体２の所定の位置に収まるようになっている。ジャックカバー１のプラグ保持凹部１２ｂは、エルボ形プラグを支えるために、プラグの被覆形状に合わせて凹状の溝に加工されている。
【００２１】
図１から図３において、ジャック３にエルボ形プラグ５を接続する場合、まず、薄肉のヒンジ部１１ｂにてジャックカバー１を折り曲げてジャック３を露出させ、ジャックカバー１の硬質部１２の筐体当接面１２ａを、筐体２のジャックカバー当接凹部２ａに挿入することで、ジャックカバー１を起立させた状態で保持する。図３のように上面から見ると、筐体２のジャックカバー当接凹部２ａとジャックカバー１の幅が同じであるので、両者がうまく嵌合する。次に、ジャック３にエルボ形プラグ５を挿入する。この時、エルボ形プラグ５の保持箇所５ａが、ジャックカバー１の硬質部１２のプラグ保持凹部１２ｂの溝に収められるように、角度を調整しつつ挿入する。これにより、ジャックカバー１でエルボ形プラグ５を支えることが可能である。
【００２２】
図１のように、エルボ形プラグ５は、起立状態になったジャックカバー１によって支えられている。したがって、エルボ形プラグ５をジャック３に押し付ける図中の矢印Ａのようなジャックカバー１に平行する方向の負荷が加わった場合や、図中の矢印Ｂのような回転モーメントによる負荷が加わった場合でも、ジャック３に加わるべき負荷がジャックカバー１により軽減され、ジャック３に対して過負荷の悪影響を与えることはない。
【００２３】
従来のジャック部の補強手法においては、補強部材作成や組立のための労力、コスト、作業時間などを多く必要としていた。しかしながら、本発明によれば、上記のようにして、ジャックカバー１でエルボ形プラグ５を支えることで、簡単に低コストで、ジャック３の破損を防ぐことができる。第１実施形態のジャックカバーの構造は、前記携帯電話のような携帯機器に限らず、オーディオ機器、ビジュアル機器、コンピュータ機器などにおいても、イヤホンやヘッドホンなどを接続する場合に適用可能である。
【００２４】
本発明の第２の実施形態に係るジャック付き機器を、図６及び図７に示す。図６は、本発明の第２の実施形態に係るジャックカバーのプラグ未接続時の部分断面側面図である。図７は、図６に示すジャックカバーのプラグ接続時の部分断面側面図である。ジャック３等の構成は、前記第１の実施形態と同様である。
【００２５】
第１の実施形態と異なる点として、図６において、ジャックカバー１は、その全てがＡＢＳ樹脂等の硬質な材料で形成され、第１の実施形態のような折り曲げ可能な箇所は設けられていない。また、ジャック３の栓をする側の反対側に係止片１３を備え、両端の中間部分に括れた部分１ｃを有する。ジャックカバー１は、その括れた部分１ｃが、筐体２に備えられた係合孔２１で挟み込まれるように配設され、係止片１３は筐体２の係合孔２１よりも大きいため、ジャックカバー１が筐体２から脱落できないようになっている。ジャック３を露出させるときには、ジャックカバー１は、その括れた部分１ｃの近傍で起立方向Ｃに回動させることが可能で、図６に示す倒伏状態と、図７に示す起立状態の間で角度変更が可能である。
【００２６】
図７において、ジャック３にエルボ形プラグ５を接続する場合、まず、ジャックカバー１を回動して起立させることによってジャック３を露出させ、ジャックカバー１の筐体当接面１ａを、筐体２のジャックカバー当接凹部２ａに挿入することで、ジャックカバー１を筐体２に起立させた状態で保持する。次に、第１の実施形態と同様に、ジャック３にエルボ形プラグ５を挿入する。この時、エルボ形プラグ５の保持箇所５ａがジャックカバー１のプラグ保持凹部１ｂにて保持され、図７のようなエルボ形プラグ５を支えた状態となる。
【００２７】
上記のように本発明の実施形態を示したが、この他、発明の主旨を逸脱しない範囲で種々の変更を加えて実施することができる。
【００２８】
【発明の効果】
本発明は、筐体にプラグ挿入用のジャックを設けたジャック付き機器において、前記ジャックの栓をするジャックカバーを前記筐体にヒンジ結合するとともに、このジャックカバーは、起立状態でエルボ形プラグの支えとして使用できるようにした。これにより、製造する上での材料やプロセスを別途必要とせず、ジャックの栓をするジャックカバーのみを使用するだけで、エルボ形プラグを支えることができる。その結果、ジャックへのプラグ接続時に生じる負荷や落下衝撃を軽減する構造が、労力やコスト、作業時間を必要とせず得られることになる。
【００２９】
また、前記ジャックカバーに薄肉部を設けることにより、前記ヒンジ結合を形成した。これにより、例えば、ゴムのような軟質で弾力性のある材料にて形成することにより、通常の蝶番のようなスリーピース構造とすることなく、ワンピース構造でヒンジ結合を形成することができる。その結果、通常の蝶番のような構造を形成するための労力、コスト、時間を削減することが可能であり、さらに、ジャック部への負荷を軽減することが可能になる。
【００３０】
また、前記ジャックカバーを、前記筐体に対し脱落不能、且つ回動可能に係合させることにより、前記ヒンジ結合を形成した。これにより、筐体に対するジャックカバーの取付構造を工夫することによりヒンジ結合を形成することができる。また、ジャックカバーの材料が軟質な材料に限定されることもない。その結果、極めて低コストで簡単に、ジャックへの負荷を軽減することが可能になり、また、ジャックカバーの材料選択の幅も広がって好都合である。
【図面の簡単な説明】
【図１】本発明の第１の実施形態に係るジャック付き機器のプラグ接続時の部分断面側面図
【図２】図１に示すジャック付き機器の部分正面図
【図３】図１に示すジャック付き機器の部分断面上面図
【図４】本発明の第１の実施形態に係るジャック付き機器のプラグ未接続時の部分断面側面図
【図５】図４に示すジャック付き機器の部分正面図
【図６】本発明の第２の実施形態に係るジャック付き機器のプラグ未接続時の部分断面側面図
【図７】図６に示すジャック付き機器のプラグ接続時の部分断面側面図
【図８】従来のジャックカバーを有する携帯電話
【図９】従来のジャック付き機器のプラグ未接続時の部分断面側面図
【図１０】図９に示すジャック付き機器のプラグ接続時の部分断面側面図
【符号の説明】
１　　ジャックカバー
２　　筐体
３　　ジャック
４　　回路基板
５　　エルボ形プラグ
【図１】
2004127735.tif 000003
【図２】
2004127735.tif 000004
【図３】
2004127735.tif 000005
【図４】
2004127735.tif 000006
【図５】
2004127735.tif 000007
【図６】
2004127735.tif 000008
【図７】
2004127735.tif 000009
【図８】
2004127735.tif 000010
【図９】
2004127735.tif 000011
【図１０】
2004127735.tif 000012